(57)【要約】      （修正有）【課題】キャップ本体を開いた瞬間に液体がノズルから吹き出るような事態を予防しつつ、できるだけアンダーカットの無い金型によって生産することを可能とするノズル、及びそのようなノズルを閉鎖するキャップ本体を含むキャップを提供する。【解決手段】容器本体２の口部２４に取り付ける取付口４１と、取付口に連続すると共に口径方向内側に口部よりも口径の小さな通路を有し且つ通路の出口をキャップで閉鎖される注出口４２と、注出口の口径方向内側において通路を狭める方向に突出する邪魔板４２ｂ２とを有する合成樹脂製である、液体容器用のノズル４において、邪魔板は２つであって、各邪魔板は通路の貫通方向の異なる位置に形成され、通路の出口側部分の口径を、通路の入口側へ向かって徐々に狭める形状としてあり、注出口の内部を通路の貫通方向から視た場合に、各邪魔板は半月状であり且つ各邪魔板の形成領域は分離していることを特徴とする。【選択図】図１
2014114058.tif 000002
【特許請求の範囲】
【請求項１】
容器本体の口部に取り付ける取付口と、取付口に連続すると共に口径方向内側に口部よりも口径の小さな通路を有し且つ通路の出口をキャップ本体で閉鎖される注出口と、注出口の口径方向内側において通路を狭める方向に突出する邪魔板とを有する合成樹脂製である、液体容器用のノズルにおいて、
邪魔板は２つであって、
各邪魔板は通路の貫通方向の異なる位置に形成され、通路の出口側部分の口径を、通路の入口側へ向かって徐々に狭める形状としてあり、
注出口の内部を通路の貫通方向から視た場合に、各邪魔板は半月状であり且つ各邪魔板の形成領域は分離していることを特徴とする液体容器用のノズル。
【請求項２】
請求項１に記載のノズルと、通路の出口を閉鎖するキャップ本体とを有する液体容器用のキャップにおいて、
キャップ本体は、注出口の出口を覆う蓋天壁と、蓋天壁から突出すると共にノズルの内側に嵌合する中栓とを備え、
中栓の先端部は、２つの邪魔板に沿う段部になっていることを特徴とする液体容器用のキャップ。
【請求項３】
ノズルとキャップ本体とを連結するヒンジを有することを特徴とする請求項２に記載の液体容器用のキャップ。
【発明の詳細な説明】
【技術分野】
【０００１】
本発明は、各種の液体を収容する液体容器用のノズル、及びそのようなノズルを閉鎖することに適したキャップ本体を含むキャップに関する。
【背景技術】
【０００２】
前記液体容器としては、液体を吐き出すためのノズルを筒状に形成し、ノズルの内側に形成される通路を一直線に形成したものが、一般的となっている。これは、液体を吐出させる量を考慮して、ノズルの口径を設計してある。
【０００３】
しかしながら、このような一般的な液体容器の場合には、キャップ（本願でのキャップ本体に相当する。）を開いた瞬間に、液体がノズルから吹き出るような不具合があった。このような不具合は、例えば、液体容器が暑い場所に置かれていた場合に生じ易い。それは、容器本体内の空気が膨張し、その膨張した分の空気が微量の液体と一緒になってキャップを開いた瞬間にノズルから吐出されることによるものと考えられる。また、その原因は、通路が一直線であることによるものと推測される。
【０００４】
因みに、通路が一直線では無い液体容器として、ノズルの内側に液だれ防止突部を設けたものが知られている（特許文献１。）。この液だれ防止突部は、半円状であって、複数設けられていると、文言上、記載されているが、図面では、半円弧状であって、５つ設けられている。なお、これら５つの液だれ防止突部は、通路の貫通方向の異なる位置に設けられている。このようにノズルの内側に突部が設けられていると、前記した不具合を解消できるかのように思える。
【先行技術文献】
【特許文献】
【０００５】
【特許文献１】特開２００９−１６１１９４
【発明の概要】
【発明が解決しようとする課題】
【０００６】
しかしながら、突部は半円弧状であるので、ノズルの内部を貫通方向から視た場合に、通路を塞ぐ面積が十分とは言えず、前記した不具合を幾分かは解消できるが、その程度は十分なものとは言えないものと思われる。
また、液体がノズル内の出口側に残っているのに気付かずにキャップを閉め、そのまま容器を立てて置くと、通路を形成する内周面に対して直角に液だれ防止突部が突出しているので、液だれ防止部によって液体の円滑な落下が妨げられ、液だれ防止部に液体が残り易くなる。そうすると、やはり、キャップ本体を開いた瞬間に液体がノズルから吹き出るような事態が生じ易くなる。
さらに、前記した５つの液だれ防止突部があると、これらは、射出成型で成型する場合にアンダーカットとなるので、金型製作上、望ましくない。
【０００７】
本発明は、上記実情を考慮したもので、キャップ本体を開いた瞬間に液体がノズルから吹き出るような事態を予防しつつ、できるだけアンダーカットの無い金型によって生産することを可能とするノズル、及びそのようなノズルを閉鎖することに適したキャップ本体を含むキャップを提供することを目的とする。
【課題を解決するための手段】
【０００８】
本発明の液体容器用のノズルは、合成樹脂製であって、容器本体の口部に取り付ける取付口と、取付口に連続すると共に口径方向内側に口部よりも口径の小さな通路を有し且つ通路の出口をキャップ本体で閉鎖される注出口と、注出口の口径方向内側において通路を狭める方向に突出する邪魔板とを有するものを前提とする。
【０００９】
そして、本発明の液体容器用のノズルにおいては、邪魔板は２つであって、各邪魔板は通路の貫通方向の異なる位置に形成され、通路の出口側部分の口径を、通路の入口側へ向かって徐々に狭める形状としてあり、注出口の内部を通路の貫通方向から視た場合に、各邪魔板は半月状であり且つ各邪魔板の形成領域は分離していることを特徴とする。
【００１０】
また、前記したノズルに適した液体容器用のキャップとして、次のようなキャップ本体を有するものが、邪魔板の上に残る液体を容器本体側へ落下させるには適している。
すなわち、前記したノズルと、通路の出口を閉鎖するキャップ本体とを有する液体容器用のキャップにおいて、キャップ本体は、注出口の出口を覆う蓋天壁と、蓋天壁から突出すると共にノズルの内側に嵌合する中栓とを備え、中栓の先端部は、２つの邪魔板に沿う段部になっていることである。
【００１１】
さらに、中栓の先端部が常に２つの邪魔板に対して沿うようにするには、次のようにすることが望ましい。
すなわち、ノズルとキャップ本体とを連結するヒンジを有することである。
【発明の効果】
【００１２】
本発明によれば、注出口の通路を狭める邪魔板を半月状としてあるので、注出口の内部を貫通方向から視た場合に、通路を塞ぐ面積が従来に比べて広くなり、キャップ本体を開いた際に液体がノズルから噴射するような事態を防ぎ易くなる。その上、邪魔板を２つとし、しかも、通路の貫通方向から視た場合に、２つの邪魔板の形成領域を分離させ、互いに重なり合わないようにしてあるので、注出口の通路についてはアンダーカットとなる部分がないようにして射出成型の金型のパーティグラインを設定することができ、それ故、金型設計が容易となる。しかも、本発明のキャップを容器本体に取り付けた容器を、ノズルが上を向くように立てて置けば、キャップ本体を閉める前に邪魔板の上に液体が残っていても、各邪魔板については通路の出口側部分の口径を通路の入口側へ向かって徐々に狭める形状としてあるので、邪魔板の上に残った液体が容器本体側へ落下し易くなる。
【００１３】
また、キャップをノズルとキャップ本体とを有するものとし、キャップ本体については、天壁から突出する中栓を、ノズルの内側に嵌合するものとし、中栓の先端部に２つの邪魔板に沿う段部を備えていれば、中栓の段部が２つの邪魔板に沿うように位置合せしてキャップ本体を閉めることによって、中栓の先端部と邪魔板との間には隙間が殆どなくなる。従って、キャップ本体を閉める前に邪魔板の上に液体が残っていても、キャップ本体を閉めることによって、中栓の先端部で液体を容器本体側へ押し込むことができる。
【００１４】
さらに、ノズルとキャップ本体とを連結するヒンジを有するものであれば、ノズルに対する中栓の位置が常に一定となるので、キャップ本体を単に閉めるだけで、中栓の段部が２つの邪魔板に沿うことになる。
【図面の簡単な説明】
【００１５】
【図１】本発明による第１実施形態の液体容器用のキャップが開いた状態を示す断面図である。
【図２】図１の状態のキャップを示す平面図である。
【図３】図４のＡ−Ａ線切断部断面図であって、第１実施形態の液体容器用のキャップが閉じた状態を示す断面図である。
【図４】（イ）〜（ハ）図は、第１実施形態の液体容器用のキャップが閉じた状態を示す平面図、正面図、左側面図である。
【発明を実施するための形態】
【００１６】
液体容器１は、図１〜図４に示すように、容器本体２と、容器本体２に取り付ける本発明のキャップ３とから構成される合成樹脂製品である。以下、各構成要素について詳述する。
【００１７】
容器本体２は、スクイズ性を有するものであって、より詳しくは、人間の力で押し潰し変形可能であると共に、力を解放すると復元可能な弾力性を有するものである。また、容器本体２は、全体として有底筒状であり、筒状の胴部２１と、胴部２１の一端（図での下端）を閉鎖する底部２２（図４参照）と、胴部２１の他端側（上端側）の口径を狭める肩部２３と、肩部２３の口径方向の内側から起立する口部２４とから構成される。因みに、容器本体２には、液体として、例えば日焼け止め用等の化粧液が収容される。
【００１８】
第１実施形態のキャップ３は、容器本体２の口部２４に取り付けるノズル４と、ノズル４の通路２４Ｒの出口を塞ぐキャップ本体５と、ノズル４とキャップ本体５を連結するヒンジ６と、ノズル４に対してキャップ本体５が閉まった状態を保持する閉鎖保持部７とから構成される。以下、特段、断りが無い場合には、キャップ本体５が閉まった状態を基準として説明する。
【００１９】
ノズル４は、容器本体２の口部２４に着脱可能に取り付ける取付口４１と、取付口４１に連続する注出口４２と、取付口４１のキャップ本体５側（上端部）から口径方向外側に突出する上壁４３と、上壁４３の口径方向外側から容器本体２側へ向って突出する外周壁４４とから構成される。
【００２０】
上壁４３は、板状であって、図示の例では、平面視して外形がほぼ楕円状であって、長軸方向の両端部を短軸方向と平行な辺としてある。上壁４３の外側縁部は、それより内側よりも段差状に低く形成されており、外周壁４４の先端部が載るようになっている。
【００２１】
外周壁４４は、筒状であって、図示の例では、その外周面のキャップ本体５側部分に指掛け用の窪み４４ａを形成してある。
【００２２】
取付口４１は、筒状であって、図示の例では、その下部における内周面（円筒面）には雌ネジ４１ａが形成されており、この雌ネジ４１ａに対応する雄ネジ２４ａが容器本体２の口部２４の外周面に形成されている。また、取付口４１の上端部には口径方向外側に突出する上壁４３が形成され、取付口４１の上部には、口径方向内側に突出する注出口４２が形成されている。
【００２３】
注出口４２は、口部２４よりも小さな口径の通路４２Ｒを有するもので、この通路４２Ｒが容器本体２の内部から外部へ向かって（図示の例では上下方向に）途中一部を除いて一直線に貫通している。注出口４２は、全体として筒状であって、図示の例では、取付口４１の上部から口径方向内側へ向かって突出するリング状の内向壁４２ａと、内向壁４２ａの口径方向内側から通路４２Ｒの貫通方向両側へ延長する注出口本体部４２ｂとを有している。
【００２４】
内向壁４２ａは、図示の例では、その容器本体２側の面については口径方向内側部を斜面状に凹ませており、ヒンジ６側を高くし、指掛け用の窪み４４ａ側が低くなる状態に傾斜させてある。また、内向壁４２ａの口径方向中間部には周方向に亘る環状の中周壁４２ｃが容器本体２側へ突出して設けられている。中周壁４２ｃと外周壁４４との間に環状の外側凹溝４２ｄが形成され、この外側凹溝４２ｄには容器本体口部２４の先端部が収容される。因みに、内向壁４２ａの口径方向内側に対して注出口本体部４２ｂの一端部（下部側）が容器本体２側へ突出していることから、この突出部分と中周壁４２ｃとの間に環状の内側凹溝４２ｅが形成される状態となっている。
【００２５】
注出口本体部４２ｂは、管部４２ｂ１を主体とし、管部４２ｂ１の内周面には、その長手方向（貫通方向）の途中における異なる位置に２つの邪魔板４２ｂ２、４２ｂ２が突出している。これら邪魔板４２ｂ２、４２ｂ２によって狭められた管部４２ｂ１の内部空間が通路４２Ｒとなる。
【００２６】
各邪魔板４２ｂ２は、通路４２Ｒの出口側部分（キャップ本体５側部分）を通路４２Ｒの入口側（容器本体２側）へ向かって徐々に口径を狭める形状としてある。図示の例では、断面円弧状に窪むように口径が狭まっている。また、一方の邪魔板４２ｂ２は、通路４２Ｒの入口側部分を管部４２ｂ１に対して段差状に角度の付く状態で突出している。他方の邪魔板４２ｂ２は、通路４２Ｒの入口側部分を、一方の邪魔板４２ｂ２と同様に、管部４２ｂ１に対して段差状に角度の付く状態で突出しながら、通路４２Ｒの入口側部分へ向かって徐々に口径を狭めるように傾斜面としてある。また、各邪魔板４２ｂ２は、通路４２Ｒの貫通方向から注出口４２の内部を視た場合に、半月状となっており、しかも各邪魔板４２ｂ２の形成領域は分離し、互いに重なり合わないものとしてある。また、管部４２ｂ１は、そのキャップ本体５側の端部をラッパ状に広がる形状（末広がり状）としてある。
【００２７】
キャップ本体５は、注出口４２の出口及びノズル上壁４３を覆う蓋天壁５１と、蓋天壁５１の外側縁部からノズル４側へ突出する蓋側壁５２と、蓋天壁５１の内側からノズル４側へ突出する蓋内側壁５３と、蓋内側壁５３よりも内側において蓋天壁５１からノズル４側へ突出する中栓５４とを備えている。
【００２８】
蓋天壁５１は、板状であって、図示の例では、ノズル上壁４３と同様に、平面視ほぼ楕円状であって、長軸方向の両端部を短軸と平行な辺としてある。
【００２９】
中栓５４は、ノズル４の内側（注出口４２の中）に嵌合するもので、通路４２Ｒの形状に対応させて、図示の例では円柱状としてある。また、中栓５４の先端部は、２つの邪魔板４２ｂ２、４２ｂ２に沿う（より詳しく言えば、２つの邪魔板４２ｂ２、４２ｂ２の出口側部分（上側部分）に沿う）段部５４ａとしてある。
【００３０】
蓋内側壁５３は、筒状（図示の例では円筒状）であって、蓋側壁５２よりも突出長を短くしてある。また、蓋内側壁５３は、その内側に、注出口本体部４２ｂの管部４２ｂ１におけるキャップ本体５側の端部（ラッパ状部分）を収容し、このラッパ状部分の外周が蓋内側壁５３の内周面に接する状態となる。
【００３１】
蓋側壁５２は、キャップ本体５が閉まった状態では、その先端部である容器本体２側の部分がノズル上壁４３に接する状態となる。
【００３２】
ヒンジ６は、長さ中間部で屈折可能な板状物であり、長さ方向の一端が蓋側壁５２に、他端がノズル上壁４３に連続して設けられている。そして、長さ方向の中間部がその両側部分よりも肉厚を薄いもの（薄肉部）としてある。この薄肉部が支点となって、キャップ本体５が開閉可能となる。より詳しく言えば、図示の例では、ヒンジ６は、二枚のヒンジ片６１と、二枚のヒンジ片６１の一辺同士を繋ぐ支点としての軸部６２とから構成され、これらヒンジ片６１、６１が蓋側壁５２及びノズル外周壁４４よりも口径方向外側に突出している。また、図示の例では、ヒンジ６は、２つ設けられており、２つのヒンジ６、６は、ほぼ楕円状の蓋天壁５１における長軸方向の一端側において、短軸方向に間隔をあけて設けられている。
【００３３】
閉鎖保持部７は、図示の例ではバネ性を有する断面Ｌ字状の屈曲片７であって、２つのヒンジ６、６の間に配置されており、そのＬ字の長さ方向の両端部が屈折可能な薄肉部となっており、これら２つの薄肉部である一端部を蓋天壁５１に、他端部をノズル上壁４３に連続してある。この屈曲片７の剛性により、キャップ本体５をノズル４に被せた状態においては、その状態（キャップ本体５が閉鎖された状態）を保持し易くしてある。因みに、屈曲片７の外面を蓋天壁５１及び蓋側壁５２の外面に対してできるだけ外側に突出しないようにするために、蓋天壁５１を前記した長軸方向の一端側部分においてコ字状の形状とし、コ字状の開口部分が口径方向外側を向くようにしてある。このコ字状の開口部分が屈曲片７の一片部７１を収容する第１収容溝部５１ａとなる。また、この第１収容溝部５１ａに連続してノズル４側へ向かう第２収容溝部５２ａが蓋側壁５２に設けられており、第２収容溝部５２ａには屈曲片７の他片部７２の大部分を収容するものとしてある。因みに、ノズル上壁４３とノズル外周壁４４との連続する角部においては、ヒンジ６を連続する部分が他の部分よりも肉厚に形成されており、この角部には第２収容溝部５２ａに連続する角溝部４３ａが形成されており、角溝部４３ａに屈曲片７の他片部７２の先端部を収容するものとしてある。
【００３４】
上記したキャップ３は、図１に示すように、ノズル４に対してキャップ本体５を開いている状態で成型する。この場合、固定金型と可動金型とのパーテイングラインは、注出口４２（注出口本体部４２ｂ）の内側については、２つの邪魔板４２ｂ２、４２ｂ２を、互いの半月状の直径側の辺で結ぶラインとなる。このラインは、図２に示すように、中栓５４の先端部（段部５４ａを含む）の形状に一致する。そして、このラインを境にして通路４２Ｒは、出口側へ向かって一直線となっており、アンダーカットはない。また、このラインを境にして通路４２Ｒは、入口側へ向かっても同様に一直線となっており、アンダーカットは無い。従って、注出口４２の部分については、型開きを支障なく行えることになる。
【００３５】
また、上記したキャップ３は、ノズル４に対してキャップ本体５がヒンジ６で連結されているので、中栓５４が通路４２Ｒから出入りする位置が決まっている。従って、中栓５４の先端部の段部５４ａが常に２つの邪魔板４２ｂ２、４２ｂ２に沿うようになる。
【００３６】
本発明は上記実施形態に限定されるものではない。例えば、前記実施形態のような、ノズル４とキャップ本体５をヒンジ６で連結するものではなく、ヒンジ６のないものであっても良い。この場合、ノズル４とキャップ本体５が別々の部品であり、例えば両者に雄ネジと雌ネジを設け、キャップ本体５をノズル４に締め付けるようにして取り付けるものであっても良い。また、前記実施形態のような、容器本体口部２４の外側にノズル４を取り付けるものに限らず、容器本体口部２４の内側にノズル４を嵌合等して取り付けるものであっても良い。
【００３７】
さらに、邪魔板４２ｂ２の出口側部分の形状は、その口径を入口側に向かって徐々に狭める形状であれば、前記実施形態のような、断面円弧状に窪む形状に限らず、断面傾斜面状等の他形状であっても良い。
【００３８】
また、ノズル４は、前記実施形態のような、上壁４３及び外周壁４４を有するものに限らず、これらが無いものであっても良い。そして、例えば、ノズル４が前記実施形態よりも通路４２Ｒの長いものであっても良い。また、キャップ本体５も前記実施形態のような蓋内側壁５３を有するものに限らず、蓋内側壁５３が無いものであっても良い。なお、液体容器は、実施形態のような平面視してほぼ楕円形状のようなものに限らず、円形状、矩形等の他形状であっても良い。
【符号の説明】
【００３９】
１  液体容器
２  容器本体
２１胴部
２２底部
２３肩部
２４口部
２４ａ雄ネジ
３  キャップ
４  ノズル
４１取付口
４１ａ雌ネジ
４２注出口
４２Ｒ通路
４２ａ内向壁
４２ｂ注出口本体部
４２ｂ１管部
４２ｂ２邪魔板
４２ｃ中周壁
４２ｄ外側凹溝
４２ｅ内側凹溝
４３上壁
４３ａ角溝部
４４外周壁
４４ａ窪み
５  キャップ本体
５１蓋天壁
５１ａ第１収容溝部
５２蓋側壁
５２ａ第２収容溝部
５３蓋内側壁
５４中栓
５４ａ段部
６ヒンジ
６１ヒンジ片
６２軸部
７閉鎖保持部（屈曲片）
７１一片部
７２他片部
【図１】
2014114058.tif 000003
【図２】
2014114058.tif 000004
【図３】
2014114058.tif 000005
【図４】
2014114058.tif 000006